(57)【要約】【課題】洗浄後の食器類の乾燥を行う食器洗い乾燥機において、加熱手段の能力を低くしなくとも、また、送風手段の風量を少なくしなくとも、排気口から出る加熱空気の温度、湿度を下げ、しかも、乾燥効率を上げる。【解決手段】食器類３を収容する洗浄槽１２内の温度をヒータ６により上昇させて食器類３を乾燥させ、送風手段７により外気を洗浄槽１２内に供給し、洗浄槽１２内の洗浄水と加熱空気を排水兼排気口１３より排出する。排水兼排気口１３を洗浄槽１２の下部に設け、排水兼排気口１３に洗浄槽１２と熱絶縁した排水兼排気ホース１４を連結し、排水兼排気ホース１４の経路の途中に、洗浄水と加熱空気を洗浄槽１２外に排出するポンプ部１５を設ける。【選択図】　図１
2004049425.tif 000002
【特許請求の範囲】
【請求項１】
食器類を収容する洗浄槽と、前記洗浄槽内の温度を上昇させ食器類を乾燥させる加熱手段と、前記洗浄槽内に外気を供給する送風手段と、前記洗浄槽内の洗浄水と加熱空気を排出する排水兼排気口とを備え、前記排水兼排気口を前記洗浄槽の下部に設け、前記排水兼排気口に前記洗浄槽と熱絶縁した排水兼排気ホースを連結し、前記排水兼排気ホースの経路の途中に、前記洗浄水と前記加熱空気を前記洗浄槽外に排出するポンプ部を設けた食器洗い乾燥機。
【請求項２】
ポンプ部は、乾燥運転中は連続運転し、加熱空気を洗浄槽外に排出するようにした請求項１記載の食器洗い乾燥機。
【請求項３】
ポンプ部は、乾燥運転開始から所定時間は運転し、その後は運転を停止するように構成した請求項１または２記載の食器洗い乾燥機。
【請求項４】
洗浄槽内の下部に設けた加熱手段と排水兼排気口の位置を、前記洗浄槽内で対角に位置するように設けた請求項１〜３のいずれか１項に記載の食器洗い乾燥機。
【請求項５】
洗浄槽内の加熱空気を洗浄槽外へ排出する第２排気口を前記洗浄槽の上部に設けた請求項１〜４のいずれか１項に記載の食器洗い乾燥機。
【発明の詳細な説明】
【０００１】
【発明の属する技術分野】
本発明は、洗浄後の食器類の乾燥を行う食器洗い乾燥機に関するものである。
【０００２】
【従来の技術】
従来、この種の食器洗い乾燥機は図４に示すように構成していた。以下、その構成について説明する。
【０００３】
図４に示すように、洗浄槽１は、食器洗い機本体Ａ内に設け、この洗浄槽１内の底部の略中央に洗浄水を噴射するノズル２を回転自在に設けるとともに、洗浄槽１内に食器類３を配置する食器かご４を設けている。洗浄ポンプ５は洗浄槽１内の洗浄水を循環するものであり、ヒータ６は洗浄水を加熱して湯にするときなどに使用する加熱手段である。このヒータ６は、洗浄行程終了後の乾燥行程では洗浄水を蒸発させるために、洗浄槽１内の温度の上昇に使用し、また、直接に食器類３を温めることに使用するようにしている。送風手段７は、洗浄槽１の外底部に設けている。なお、８は排水ポンプである。
【０００４】
上記構成において動作を説明する。まず、食器かご４に食器類３を配置して洗浄槽１内に収容し、運転を開始すると、給水弁（図示せず）より洗浄槽１内に所定量の給水した後、洗浄ポンプ５を駆動する。洗浄槽１内の洗浄水は、洗浄ポンプ５にて排水口９から吸い込まれてノズル２に圧送され、回転するノズル２により勢いよく噴射される。
【０００５】
この洗浄水によって、食器かご４に配置した食器類３を洗浄する。その後、再び洗浄水は洗浄ポンプ５にて排水口９から吸い込まれ、上記の動作を繰り返す。この洗浄水が循環する過程で、洗浄水が洗浄槽１内に入ったとき、ヒータ６によって温水化される。洗浄水の循環の繰り返しによって食器かご４に配置した食器類３を洗浄する。
【０００６】
この洗浄行程終了後に、排水ポンプ８を運転し、排水口９から排水ホース１０を経て洗浄水を洗浄槽１外に排出し、乾燥行程が始まる。洗浄水を排出した後、再びヒータ６を加熱することにより、洗浄槽１内の温度を上昇させ、また、直接に食器類３を温め、食器類３、食器かご４に付着した水滴、洗浄槽１内に残った水滴を蒸発させる。
【０００７】
この蒸発した水分を多量に含んだ加熱空気は、送風手段７により洗浄槽１内に外気を供給することにより、洗浄槽１外へ排気口１１から押し出される。この加熱、送風の繰り返しにより、食器類３を徐々に乾燥することができる。
【０００８】
【発明が解決しようとする課題】
このような従来の食器洗い乾燥機で、洗浄後の食器類３を効率的に乾燥させるためには、ヒータ６などの加熱手段などにより、洗浄槽１内の温度を上昇させ、また、食器類３を直接温めて、食器類３、食器かご４に付着した水滴、洗浄槽１内に残った水滴の蒸発速度を高め、蒸発した水分を多量に含んだ加熱空気を送風手段７により洗浄槽１内に外気を供給し、洗浄槽１外へはやく押し出すことが必要である。
【０００９】
しかしながら、ヒータ６の能力を高くすればするほど、また、送風手段７の風量を多くすればするほど、高温の蒸気が排気口１１から一度に多量に洗浄槽１外に排出されることになる。この蒸気の温度は、約７０℃〜８０℃と高く、相対湿度も約１００％と極めて高く、高温、高湿の蒸気が出る。そのために、排気口１１から出る蒸気を多量に含んだ加熱空気の温度、湿度を下げることが必要である。
【００１０】
しかし、排気口１１から出る排気の温度、湿度を下げるために、ヒータ６の能力を低くすれば、また、送風手段７の風量を少なくすれば、逆に乾燥効率が悪くなる。
【００１１】
本発明は上記従来の課題を解決するもので、加熱手段の能力を低くしなくとも、また、送風手段の風量を少なくしなくとも、排気口から出る加熱空気の温度、湿度を下げ、しかも、乾燥効率を上げることを目的としている。
【００１２】
【課題を解決するための手段】
本発明は上記目的を達成するために、食器類を収容する洗浄槽内の温度を加熱手段により上昇させて食器類を乾燥させ、送風手段により外気を洗浄槽内に供給し、洗浄槽内の洗浄水と加熱空気を排水兼排気口より排出するよう構成し、排水兼排気口を洗浄槽の下部に設け、排水兼排気口に洗浄槽と熱絶縁した排水兼排気ホースを連結し、排水兼排気ホースの経路の途中に、洗浄水と加熱空気を洗浄槽外に排出するポンプ部を設けたものである。
【００１３】
これにより、蒸気を多量に含んだ洗浄槽内の加熱空気が、排水兼排気ホースを通過する間に熱交換して加熱空気の温度が下がり、結露して湿度も下げることができて、排水兼排気ホースから出る加熱空気の温度、湿度を下げることができ、加熱手段の能力を低くしなくとも、また、送風手段の風量を少なくしなくとも、排気口から出る加熱空気の温度、湿度を下げることができ、しかも、乾燥効率を上げることができる。
【００１４】
【発明の実施の形態】
本発明の請求項１に記載の発明は、食器類を収容する洗浄槽と、前記洗浄槽内の温度を上昇させ食器類を乾燥させる加熱手段と、前記洗浄槽内に外気を供給する送風手段と、前記洗浄槽内の洗浄水と加熱空気を排出する排水兼排気口とを備え、前記排水兼排気口を前記洗浄槽の下部に設け、前記排水兼排気口に前記洗浄槽と熱絶縁した排水兼排気ホースを連結し、前記排水兼排気ホースの経路の途中に、前記洗浄水と前記加熱空気を前記洗浄槽外に排出するポンプ部を設けたものであり、洗浄水を排出する排水兼排気ホースは洗浄槽の下部に設けているので空気の通路も確保され、蒸気を含んだ加熱空気が流れる。よって、この蒸気を多量に含んだ加熱空気が排水兼排気ホースを通過する間に、排水兼排気ホースの壁面と熱交換して加熱空気の温度が下がり、しかも、排水兼排気ホースは洗浄槽と熱絶縁して細長いホースにすることで、熱交換するために加熱空気と接する排水兼排気ホースの壁面の面積は、通路長×外周で表されるので非常に大きく確保でき、熱交換の能力を大きくすることができる。また、排水兼排気ホースの材質を熱容量の高いものにすればその効果は高くなる。この熱交換は、加熱空気の温度が７０℃〜８０℃と高く、排水兼排気ホースは常温であるために、大きな温度差ができて可能となる。したがって、排水兼排気ホースは洗浄槽と熱絶縁することによって、一層熱交換の効率がよくなる。しかも、加熱空気の温度が下がることにより、飽和水分量が低くなるので、加熱空気の水分の一部が結露して排水兼排気ホースに残る。この結露水と加熱空気との間でも、新たに熱交換が生じ、効果は一層高くなる。よって、加熱空気の温度も下がり、絶対湿度も下げ、排水兼排気ホースの出口からでる加熱空気の温度、湿度を下げることができ、加熱手段の能力を低くしなくとも、また、送風手段の風量を少なくしなくとも、排気口から出る加熱空気の温度、湿度を下げることができる。
【００１５】
また、排水兼排気ホースをもっと長くすれば、熱交換の能力が上がり、加熱手段の能力を高くしても、送風手段の風量を多くしても、排水兼排気ホースの出口から出る加熱空気の温度、湿度を一層下げることができ、しかも、乾燥効率を上げることができる。
【００１６】
しかも、排水兼排気ホースは、洗浄水と加熱空気の排出兼用のため、卓上型の食器洗い乾燥機の場合は、設置上排水兼排気ホースの出口側の先端は、流し台のシンク等に設けられている。据え置き型は、流し台の排水配管に直結されている。このため、結露水の回収の手間も要らない。また、乾燥中の加熱空気を直接浴びることもないようにできる。
【００１７】
請求項２に記載の発明は、上記請求項１に記載の発明において、ポンプ部は、乾燥運転中は連続運転し、加熱空気を洗浄槽外に排出するようにしたものであり、例えば、排水兼排気ホースの断面積が小さく、ホース長が長い等の原因でホースの通路圧損が大きくなり、流量が減少しても、外気を取り込む送風手段の流れに加え、加熱空気を引っ張る流れが加わるので、安定して流量を確保できることになる。よって、加熱空気を効率よく洗浄槽外に排出できるので、加熱空気の温度、湿度を安定して下げることができる。
【００１８】
請求項３に記載の発明は、上記請求項１または２に記載の発明において、ポンプ部は、乾燥運転開始から所定時間は運転し、その後は運転を停止するように構成したものであり、洗浄槽内の加熱空気の温度、湿度が高いときだけポンプ部を運転することにより、加熱空気の温度、湿度を下げることができ、しかも、消費電力も削減することができる。
【００１９】
請求項４に記載の発明は、上記請求項１〜３に記載の発明において、洗浄槽内の下部に設けた加熱手段と排水兼排気口の位置を、前記洗浄槽内で対角に位置するように設けたものであり、送風手段により洗浄槽内に供給され、加熱手段により加熱された外気が洗浄槽内を左右に対角に流れることになり、洗浄槽内の加熱空気をよく混ぜ合わせる。よって、洗浄槽内の熱交換の効率を向上することができ、より一層排水兼排気口のホース先端から出る加熱空気の温度、湿度を下げることができる。
【００２０】
請求項５に記載の発明は、上記請求項１〜４に記載の発明において、洗浄槽内の加熱空気を洗浄槽外へ排出する第２排気口を前記洗浄槽の上部に設けたものであり、送風手段により洗浄槽内に供給され、加熱手段により加熱された外気が洗浄槽内を上に流れる流れが加わり、排水兼排気口に流れる下向きの流れと作用して、より一層、洗浄槽内の加熱空気を上下によく混ぜ合わせる。よって、洗浄槽内の熱交換の効率を向上することができ、より一層排水兼排気口ホースの先端から出る加熱空気の温度、湿度を下げることができる。
【００２１】
【実施例】
以下、本発明の実施例について、図面を参照しながら説明する。
【００２２】
（実施例１）
図１に示すように、洗浄槽１２は、食器洗い機本体Ａ内に設け、この洗浄槽１２内に食器類３を配置する食器かご４を設けている。ヒータ６は洗浄水を加熱して湯にするときなどに使用する加熱手段で、このヒータ６は、洗浄行程終了後の乾燥行程では洗浄水を蒸発させるために、洗浄槽１２内の温度の上昇に使用し、また、直接に食器類３を温めることに使用するようにしている。
【００２３】
送風手段７は外気を洗浄槽１２内に供給するもので、洗浄槽１２の外部底部に設け、洗浄槽１２内の洗浄水と加熱空気を排出する排水兼排気口１３を洗浄槽１２の下部に設け、排水兼排気口１３に洗浄槽１２と熱絶縁した排水兼排気ホース部１４を連結し、排水兼排気ホース１４の経路の途中に、洗浄水と加熱空気を、洗浄槽１２外に排出させるポンプ部１５を設けている。
【００２４】
上記構成において動作を説明する。まず、食器かご４に食器類３の配置して洗浄槽１２内に収納し、運転を開始すると、給水弁（図示せず）より洗浄槽１２内に所定量の給水した後、洗浄ポンプ５を駆動する。洗浄槽１２内の洗浄水は、洗浄ポンプ５にて排水兼排気口１３から吸い込まれてノズル２に圧送され、回転するノズル２により勢いよく噴射される。
【００２５】
この洗浄水によって、食器かご４に配置した食器類３を洗浄する。その後、再び洗浄水は洗浄ポンプ５にて排水兼排気口１３から吸い込まれ、上記の動作を繰り返す。この洗浄水が循環する過程で、洗浄水が洗浄槽１２内に入ったとき、ヒータ６などの加熱手段によって温水化される。洗浄水の循環の繰り返しによって食器かご４に配置した食器類３を洗浄する。
【００２６】
この洗浄行程終了後にポンプ部１５を運転し、排水兼排気口１３から洗浄水を洗浄槽１２外に排出し、乾燥行程が始まる。洗浄水を排出した後、再びヒータ６を加熱することにより、洗浄槽１２内の温度を上昇させ、また、直接には食器類３を温め、食器類３、食器かご４に付着した水滴、洗浄槽１２内に残った水滴を蒸発させる。
【００２７】
この蒸発した水分を多量に含んだ加熱空気は、送風手段７により送風路７ａを通って外気を洗浄槽１２内に供給することにより、洗浄槽１２外へ排水兼排気ホース１４から押し出される。このとき、外気は洗浄槽１２内へは外気を供給する入口１２ａから入り、加熱空気は洗浄槽１２内からは加熱空気を排出する排水兼排気口１３より出る。この加熱、送風手段７の繰り返しにより、食器類３を徐々に乾燥することができる。
【００２８】
これにより、蒸気を多量に含んだ加熱空気が、細長い排水兼排気ホース１４を通過する間に、排水兼排気ホース１４の壁面と熱交換して加熱空気の温度が下がる。しかも、排水兼排気ホース１４は洗浄槽１２と熱絶縁して細長い通路にしたことにより、熱交換するために加熱空気と接する排水兼排気ホース１４の壁面の面積は、通路長×外周で表されるので非常に大きく確保できる。よって、熱交換能力を大きくすることができる。
【００２９】
排水兼排気ホース１４の材質を熱容量の高いものにすれば、沢山の熱量を蓄えることができるので、その効果は高くなる。この熱交換は、加熱空気の温度が７０℃〜８０℃と高く、排水兼排気ホース１４は常温であるために、大きな温度差ができて可能となる。したがって、排水兼排気ホース１４は洗浄槽１２と熱絶縁することによって、一層熱交換の効率を高くすることができる。
【００３０】
しかも、加熱空気の温度が下がることにより、飽和水分量が低くなるので、加熱空気の水分の一部が結露して排水兼排気ホース１４に残る。この結露水と加熱空気との間でも新たに熱交換が生じ、効果は一層高くなる。よって、加熱空気の温度も下がり、絶対湿度も下げ、排水兼排気口１３から出る加熱空気の安全性を確保することができる。
【００３１】
また、細長い排水兼排気ホース１４を長くすれば、熱交換の能力が上がり、ヒータ６などの加熱手段の能力を高くしても、送風手段７の風量を多くしても、排水兼排気ホース１４の先端出口から出る加熱空気の温度、湿度を一層下げることができ、しかも、乾燥効率を上げることができる。
【００３２】
しかも、乾燥時に一般的に排水兼排気口１３より排出される蒸気は一回の運転でも約１００ｍｌと非常に多いため、住まいの湿気の問題も引き起こす。しかし、本実施例では、加熱空気の湿度も下げることができるので、湿気の問題も改善される。
【００３３】
また、本実施例のように、細長い排水兼排気ホース１４を洗浄槽１２と分離して設ければ、これにより熱交換するために、細長い排水兼排気ホース１４を洗浄槽１２と熱絶縁する耐熱シートなどの特別な部材を新たに使用しなくとも、洗浄槽１２から分離することにより空気絶縁ができ、熱交換の効果を得ることができる。
【００３４】
しかも、排水兼排気ホース１４は、洗浄水と加熱空気の排出兼用のため、卓上型の食器洗い乾燥機の場合は、設置上、排水兼排気ホース１４の出口側の先端は、流し台のシンク等に設けられている。据え置き型は、流し台の排水配管に直結されている。そのため、結露水の回収の手間も要らない。また、乾燥中の加熱空気を直接浴びることもないようにできる。
【００３５】
また、本実施例において、乾燥運転中はポンプ部１５を連続運転し、加熱空気を洗浄槽１２外に排出するようにすることにより、例えば、排水兼排気ホース１４の断面積が小さく、ホース長が長い等の原因で排水兼排気ホース１４の通路圧損が大きくなり、流量が減少しても、外気を取り込む送風手段７の流れに加え、加熱空気を引っ張る流れが加わるので、安定して流量を確保できることができる。
【００３６】
よって、加熱空気を効率良く洗浄槽１２外に排出できるので、加熱空気の温度、湿度を安定して下げることができる。
【００３７】
また、本実施例において、ポンプ部１５を乾燥運転開始から所定時間は運転し、その後は運転を停止するように構成することにより、洗浄槽１２内の加熱空気の温度、湿度が高いときだけ、ポンプ部１５を運転することにより、加熱空気の温度、湿度を下げる効果も大きく得られ、しかも、消費電力の削減もできる。
【００３８】
（実施例２）
図２に示すように、洗浄槽１６内の下部に設けた加熱手段６と排水兼排気口１７の位置を、洗浄槽１６内で対角に位置するように設けている。他の構成は上記実施例１と同じである。
【００３９】
上記構成において動作を説明する。なお、食器洗い機の基本的な動作は上記実施例１と同じであるので説明を省略する。
【００４０】
洗浄槽１６内の下部に設けた加熱手段６と排水兼排気口１７の位置を、洗浄槽１６内で対角に位置するように設けたことにより、送風手段７により洗浄槽１６内に供給され、加熱手段６により加熱された外気は、矢印で示すように、洗浄槽１６内を対角に流れることになり、洗浄槽１６内の加熱空気をよく混ぜ合わせることができる。
【００４１】
よって、洗浄槽１６内の熱交換の効率を向上することができ、より一層排水兼排気ホース１８の先端出口から出る加熱空気の温度、湿度を下げることができる。
【００４２】
（実施例３）
図３に示すように、洗浄槽１９内の加熱空気を洗浄槽１９外へ排出する第２排気口２０を洗浄槽１９の上部に設けている。他の構成は上記実施例１と同じである。
【００４３】
上記構成において動作を説明する。なお、食器洗い機の基本的な動作は上記実施例１と同じであるので説明を省略する。
【００４４】
洗浄槽１９内の加熱空気を洗浄槽１９外へ排出する第２排気口２０を洗浄槽１９の上部に設けたことにより、送風手段７により洗浄槽１９内に供給され、加熱手段６により加熱された外気に、洗浄槽１９内を上に流れる流れが加わり、排水兼排気口２１に流れる下向きの流れと作用して、より一層洗浄槽１９内の加熱空気を上下によく混ぜ合わせることができる。
【００４５】
よって、洗浄槽１９内の熱交換の効率を向上することができ、より一層排水兼排気口ホース２２の先端から出る加熱空気の温度、湿度を下げることができる。
【００４６】
【発明の効果】
以上のように本発明の請求項１に記載の発明によれば、食器類を収容する洗浄槽と、前記洗浄槽内の温度を上昇させ食器類を乾燥させる加熱手段と、前記洗浄槽内に外気を供給する送風手段と、前記洗浄槽内の洗浄水と加熱空気を排出する排水兼排気口とを備え、前記排水兼排気口を前記洗浄槽の下部に設け、前記排水兼排気口に前記洗浄槽と熱絶縁した排水兼排気ホースを連結し、前記排水兼排気ホースの経路の途中に、前記洗浄水と前記加熱空気を前記洗浄槽外に排出するポンプ部を設けたから、洗浄水を排出する排水兼排気ホースは洗浄槽の下部に設けているので空気の通路も確保され、蒸気を含んだ加熱空気が流れ、この蒸気を多量に含んだ加熱空気が排水兼排気ホースを通過する間に、排水兼排気ホースの壁面と熱交換して加熱空気の温度が下がり、しかも、加熱空気の温度が下がることにより、飽和水分量が低くなるので、加熱空気の水分の一部が結露して排水兼排気ホースに残る。この結露水と加熱空気との間でも、新たに熱交換が生じ、効果は一層高くなる。よって、加熱空気の温度も下がり、絶対湿度も下げ、排水兼排気ホースの出口からでる加熱空気の温度、湿度を下げることができる。
【００４７】
しかも、排水兼排気ホースは、洗浄水と加熱空気の排出兼用のため、卓上型の食器洗い乾燥機の場合は、設置上排水兼排気ホースの出口側の先端は、流し台のシンク等に設けられている。据え置き型は、流し台の排水配管に直結されている。そのため、結露水の回収の手間も要らない。また、乾燥中の加熱空気を直接浴びることもないようにできる。
【００４８】
また、請求項２に記載の発明によれば、ポンプ部は、乾燥運転中は連続運転し、加熱空気を洗浄槽外に排出するようにしたから、外気を取り込む送風手段の流れに加え、加熱空気を引っ張る流れが加わることによって、加熱空気を効率よく洗浄槽外に排出できるので、加熱空気の温度、湿度を安定して下げることができる。
【００４９】
また、請求項３に記載の発明によれば、ポンプ部は、乾燥運転開始から所定時間は運転し、その後は運転を停止するように構成したから、洗浄槽内の加熱空気の温度、湿度が高いときだけポンプ部を運転することにより、加熱空気の温度、湿度を下げることができ、しかも、消費電力も削減することができる。
【００５０】
また、請求項４に記載の発明によれば、洗浄槽内の下部に設けた加熱手段と排水兼排気口の位置を、前記洗浄槽内で対角に位置するように設けたから、送風手段により洗浄槽内に供給され、加熱手段により加熱された外気が洗浄槽内を左右に対角に流れることになり、洗浄槽内の加熱空気をよく混ぜ合わせることができ、洗浄槽内の熱交換の効率を向上することができ、より一層排水兼排気口のホース先端から出る加熱空気の温度、湿度を下げることができる。
【００５１】
また、請求項５に記載の発明によれば、洗浄槽内の加熱空気を洗浄槽外へ排出する第２排気口を前記洗浄槽の上部に設けたから、送風手段により洗浄槽内に供給され、加熱手段により加熱された外気が洗浄槽内を上に流れる流れが加わり、排水兼排気口に流れる下向きの流れと作用して、より一層、洗浄槽内の加熱空気を上下によく混ぜ合わせることができ、洗浄槽内の熱交換の効率を向上することができ、より一層排水兼排気口ホースの先端から出る加熱空気の温度、湿度を下げることができる。
【図面の簡単な説明】
【図１】本発明の第１の実施例の食器洗い乾燥機の断面図
【図２】本発明の第２の実施例の食器洗い乾燥機の洗浄槽を上から見た図
【図３】本発明の第３の実施例の食器洗い乾燥機の洗浄槽を上から見た図
【図４】従来の食器洗い機の断面図
【符号の説明】
３　食器類
６　ヒータ（加熱手段）
７　送風手段
１２　洗浄槽
１３　排水兼排気口
１４　排水兼排気ホース
１５　ポンプ部
【図１】
2004049425.tif 000003
【図２】
2004049425.tif 000004
【図３】
2004049425.tif 000005
【図４】
2004049425.tif 000006